(57)【要約】【課題】ラジオプログラムを注文する極めて効率的な方法であって、注文がプレゼンテーションに近い時刻に行われ、詳細な情報を覚えておく必要性が最小限となる方法を提供すること。【解決手段】ラジオプログラムを注文する極めて効率的な方法であって、注文がプレゼンテーションに近い時刻に行われ、その詳細を記憶しておく必要性が最小限となる方法を提供する。この方法は、移動中の人に必要な一連のタッチ式／音声制御方式で具体化される。セキュリティのオプションには、音声署名、ボタンシーケンス、指紋識別が含まれる。ユーザへのフィードバックは、オーディオ形式と視覚表示形式の両方で具体化される。請求されている、ラジオを制御する方法は、注文する、注文システムに追加情報を照会する、ユーザの識別署名を初期化する、ユーザを識別することによってセッションを初期化する、ユーザが正しく識別されない場合には注文へのアクセスを阻止する、特定の実施例においては警察に電話をする、というステップを提供する。請求されているラジオデバイスは、ラジオプログラムに関する重要な情報を含むＩＦ信号源、埋込式コントローラ、ユーザインタフェースと、注文取引が実行されるラジオトランシーバとをサポートする。【選択図】図４
2004500752.tif 000002
【特許請求の範囲】
【請求項１】
乗物用ラジオベースプログラムの選択／注文システムを使用する方法であって、
ラジオプログラムのプレゼンテーションを認識するステップと、
当該ラジオプログラムのプレゼンテーションに近い時刻にラジオプログラムを選択するステップと、
ラジオプログラムの選択確認を認識するステップと、
当該ラジオプログラムの選択確認に応答するステップと、
を有する方法。
【請求項２】
請求項１に記載の乗物用ラジオベースプログラムの選択／注文システムを使用する方法であって、
当該ラジオプログラムの選択が、当該ラジオプログラムの選択を音響的に合図するステップをさらに有する方法。
【請求項３】
請求項１に記載の乗物用ラジオベースプログラムの選択／注文システムを使用する方法であって、
当該ラジオプログラムの選択が、当該ラジオプログラムの選択を合図するために少なくとも１個のボタンを押すステップをさらに有する方法。
【請求項４】
請求項１に記載の乗物用ラジオベースプログラムの選択／注文システムを使用する方法であって、
当該ラジオプログラムの選択確認の認識が、ラジオプログラムの選択の説明を聞くステップをさらに有する方法。
【請求項５】
請求項１に記載の乗物用ラジオベースプログラムの選択／注文システムを使用する方法であって、
当該ラジオプログラムの選択確認の認識が、ラジオプログラムの選択の説明を読むステップをさらに有する方法。
【請求項６】
請求項１に記載の乗物用ラジオベースプログラムの選択／注文システムを使用する方法であって、乗物の所有者を識別するステップをさらに有する方法。
【請求項７】
請求項１に記載の乗物用ラジオベースプログラムの選択／注文システムを使用する方法であって、
当該ラジオプログラムの選択確認への応答が、
当該選択されたラジオプログラムを注文するステップと、
当該選択されたラジオプログラムを取り消すステップと、
で構成されるステップ群の少なくとも一つをさらに有する方法。
【請求項８】
請求項７に記載の乗物用ラジオベースプログラムの選択／注文システムを使用する方法であって、当該乗物の所有者の識別が、所有者を識別する署名シーケンスを話すステップをさらに有する方法。
【請求項９】
請求項８に記載の乗物用ラジオベースプログラムの選択／注文システムを使用する方法であって、当該所有者を識別する署名シーケンスを初期化するステップをさらに有する方法。
【請求項１０】
請求項７に記載の乗物用ラジオベースプログラムの選択／注文システムを使用する方法であって、当該乗物の所有者の識別が、所有者を識別するボタンシーケンスを押すステップをさらに有する方法。
【請求項１１】
請求項１０に記載の乗物用ラジオベースプログラムの選択／注文システムを使用する方法であって、当該所有者を識別するボタンシーケンスを初期化するステップをさらに有する方法。
【請求項１２】
請求項７に記載の乗物用ラジオベースプログラムの選択／注文システムを使用する方法であって、当該乗物の所有者の識別が、指紋スキャナを押すステップをさらに有する方法。
【請求項１３】
請求項１２に記載の乗物用ラジオベースプログラムの選択／注文システムを使用する方法であって、当該指紋スキャナを最初に押すステップをさらに有する方法。
【請求項１４】
請求項１２に記載の乗物用ラジオベースプログラムの選択／注文システムを使用する方法であって、
当該選択されたラジオプログラムの注文が、当該指紋スキャナを押すステップをさらに有する方法。
【請求項１５】
乗物用ラジオベースプログラムの選択／注文システムを制御する方法であって、
符号化されたラジオプログラムデータチャンネルを受信するステップと、
ラジオプログラムを感知するステップと、
当該感知されたラジオプログラムの選択を判断するステップと、
当該ラジオプログラムが感知されたときに当該受信された符号化されたラジオプログラムデータチャンネルからの当該ラジオプログラムの確認を表示するステップと、
当該表示されたラジオプログラムの確認と当該感知されたラジオプログラムの当該選択への応答を感知するステップと、
を有する方法。
【請求項１６】
請求項１５に記載の乗物用ラジオベースプログラムの選択／注文システムを制御する方法であって、
符号化されたラジオプログラムデータチャンネルの受信が、
内部のラジオプログラムデータチャンネルを感知するステップと、
当該感知された内部のラジオプログラムデータチャンネルを処理してラジオプログラムのデータ記述子ストリームを作成するステップと、
をさらに有する方法。
【請求項１７】
請求項１６に記載の乗物用ラジオベースプログラムの選択／注文システムを制御する方法であって、
当該ラジオプログラムの感知が、
ラジオプログラムのチャンネル番号を感知して感知されたラジオチャンネル番号を作成するステップと、
当該感知されたラジオチャンネル番号に基づいて当該ラジオプログラムのデータ記述子ストリームを復号化して、当該感知されたラジオプログラムのラジオプログラムデータ記述子を作成するステップと、
をさらに有する方法。
【請求項１８】
請求項１５に記載の乗物用ラジオベースプログラムの選択／注文システムを制御する方法であって、
当該ラジオプログラムの確認の表示が、
ラジオプログラムの確認テキストを生成するステップと、
当該ラジオプログラムの確認テキストを表示するステップと、
をさらに有する方法。
【請求項１９】
請求項１８に記載の乗物用ラジオベースプログラムの選択／注文システムを制御する方法であって、
当該表示されたラジオプログラムの確認への当該応答の感知が、
当該選択されたラジオプログラムの注文を判断するステップであって、
当該選択されたラジオプログラムの注文の判断が「はい」であるときに当該選択されたラジオプログラムのラジオプログラム購買メッセージを送信するステップをさらに有する、ステップと、
当該選択されたラジオプログラムの取消しを判断するステップと、
で構成されるステップ群の少なくとも一つをさらに有する方法。
【請求項２０】
請求項１９に記載の乗物用ラジオベースプログラムの選択／注文システムを制御する方法であって、前記方法が、
乗物の内部のオーディオフィードバックチャンネルを感知して、感知された乗物オーディオフィードバックストリームを作成するステップと、
当該感知された乗物オーディオフィードバックを処理して、処理された乗物オーディオフィードバックを作成するステップと、
をさらに有する方法において、
当該感知されたラジオプログラムの選択の判断が、
当該処理された乗物オーディオフィードバックを判断して、当該感知されたラジオプログラムの当該判断された選択を作成するステップ、
をさらに有する方法。
【請求項２１】
請求項２０に記載の乗物用ラジオベースプログラムの選択／注文システムを制御する方法であって、
当該選択されたラジオプログラムの注文の判断が、
当該処理された乗物オーディオフィードバックを判断して、当該選択されたラジオプログラムの当該判断された注文を作成するステップ、
をさらに有する方法。
【請求項２２】
請求項１９に記載の乗物用ラジオベースプログラムの選択／注文システムを制御する方法であって、
当該ラジオプログラムの確認テキストの表示が、
当該ラジオプログラムの確認テキストをオーディオ処理して、ラジオプログラムのオーディオ確認スクリプトを作成するステップと、
当該ラジオプログラムのオーディオ確認スクリプトをオーディオ出力デバイスに送信するステップと、
をさらに有する方法。
【請求項２３】
請求項１９に記載の乗物用ラジオベースプログラムの選択／注文システムを制御する方法であって、
当該ラジオプログラムの確認テキストの表示が、
当該選択されたラジオプログラムの購買照会を送信するステップと、
当該選択されたラジオプログラムの購買照会への応答を受信するステップと、
当該選択されたラジオプログラムの購買照会への応答から当該ラジオプログラム確認テキストを生成するステップと、
をさらに有する方法。
【請求項２４】
請求項１９に記載の乗物用ラジオベースプログラムの選択／注文システムを制御する方法であって、
当該ラジオプログラムの確認テキストの表示が、
当該ラジオプログラムの確認テキストを視覚出力デバイスに提示するステップ、
をさらに有する方法。
【請求項２５】
請求項１５に記載の乗物用ラジオベースプログラムの選択／注文システムを制御する方法であって、
固有のユーザの使用を初期化して、当該固有のユーザの署名を作成するステップと、
当該固有のユーザの当該署名を利用して初めてのユーザの使用態様セッションを初期化するステップと、
で構成されるステップ群の少なくとも一つをさらに有する方法。
【請求項２６】
請求項２５に記載の乗物用ラジオベースプログラムの選択／注文システムを制御する方法であって、
当該初めてのユーザの使用態様セッションの初期化が、
当該初めてのユーザの応答をサンプリングして初めてのユーザの署名を作成するステップと、
当該初めてのユーザの署名と当該固有のユーザの当該署名とを比較して、署名比較を作成するステップと、
当該比較が一致しないときに当該初めてのユーザによるアクセスを阻止するステップと、
をさらに有する方法。
【請求項２７】
請求項２６に記載の乗物用ラジオベースプログラムの選択／注文システムを制御する方法であって、
当該比較が一致しないときの当該初めてのユーザによるアクセスの阻止が、
当該初めてのユーザの署名に基づく盗難デバイスレポートを送信するステップをさらに有する方法。
【請求項２８】
請求項１５に記載の乗物用ラジオベースプログラムの選択／注文システムを制御する方法であって、コンピュータ可読メモリに常駐するコンピュータプログラムとして実施される方法。
【請求項２９】
請求項２８に記載の乗物用ラジオベースプログラムの選択／注文システムを制御する方法であって、当該コンピュータ可読メモリが、リムーバブルストレージインタフェースによって連動されているときにコンピュータによってアクセスできるリムーバブルストレージデバイス内に常駐する方法。
【請求項３０】
ラジオプログラムデータチャンネルを受信し、かつ取引を実行するためのラジオであって、
書込可能な不揮発性メモリ部品を含むコンピュータ可読メモリを有する埋込式コントローラと、
当該埋込式コントローラによって読取アクセス可能なラジオプログラムデータチャンネルストリームを生成する、当該埋込式コントローラに結合された当該ラジオプログラムデータチャンネルの受信機と、
当該埋込式コントローラから取引出力メッセージを受信する、当該埋込式コントローラに結合されたラジオトランシーバと、
当該埋込式コントローラによって読取アクセス可能なユーザ選択データを生成する、当該埋込式コントローラに結合されたユーザインタフェース回路と、
を有するラジオにおいて、
当該ラジオトランシーバが、当該埋込式コントローラによって読取アクセス可能な取引入力ストリームを生成し、かつ、
当該ユーザインタフェース回路が、当該埋込式コントローラからのユーザ出力データを受信する、
ラジオ。
【請求項３１】
ラジオプログラムデータチャンネルを受信し、かつ取引を実行するための、請求項３０に記載の、外部ＩＦ信号入力ポートをさらに有するラジオであって、
当該ラジオプログラムデータチャンネル受信機が、当該外部ＩＦ入力信号に結合された入力ポートと、当該ラジオプログラムデータチャンネルストリームを供給する、当該埋込式コントローラに結合されたデジタル出力ポートとを含むラジオプログラムデータチャンネル分離器を含むラジオ。
【請求項３２】
ラジオプログラムデータチャンネルを受信し、かつ取引を実行するための、請求項３１に記載のラジオであって、
外部ＩＦ入力ポートが、アナログ信号プロトコルをサポートし、かつ、
当該ラジオプログラムデータチャンネル分離器が、
当該外部ＩＦ入力ポートに結合された第一アナログ入力ポートと、
当該ラジオプログラムデータチャンネル分離器のデジタル出力に結合された第一デジタル出力ポートと、
を含むアナログ分離回路と、
当該第一アナログ入力ポートに結合された第二アナログ入力ポートと、
当該第一デジタル出力ポートに結合された第二デジタル出力ポートと、
をさらに有するＡ／Ｄコンバータと、
をさらに有するラジオ。
【請求項３３】
ラジオプログラムデータチャンネルを受信し、かつ取引を実行するための、請求項３２に記載のラジオであって、
当該アナログ分離回路が、当該外部ＩＦ入力信号に結合された入力ポートと、当該Ａ／Ｄコンバータ入力ポートに結合された出力ポートとを含む帯域フィルタをさらに含むラジオ。
【請求項３４】
ラジオプログラムデータチャンネルを受信し、かつ取引を実行するための、請求項３０に記載のラジオであって、
当該ユーザインタフェース回路が、当該ユーザ出力データのオーディオ出力を供給するユーザインタフェース・オーディオ出力インタフェースをさらに有するラジオ。
【請求項３５】
ラジオプログラムデータチャンネルを受信し、かつ取引を実行するための、請求項３０に記載のラジオであって、
当該ユーザインタフェース回路が、当該埋込式コントローラにユーザオーディオ入力データストリームを供給する ユーザインタフェース・オーディオ入力センサーをさらに有するラジオ。
【請求項３６】
ラジオプログラムデータチャンネルを受信し、かつ取引を実行するための、請求項３０に記載のラジオであって、
当該ユーザインタフェース回路が、当該ユーザ出力データの視覚出力を提供する視覚出力デバイスをさらに有するラジオ。
【請求項３７】
ラジオプログラムデータチャンネルを受信し、かつ取引を実行するための、請求項３０に記載のラジオであって、
当該ユーザインタフェース回路が、ユーザタッチ式入力データストリームを供給するユーザインタフェース・タッチ式入力センサーをさらに有するラジオ。
【請求項３８】
ラジオプログラムデータチャンネルを受信し、かつ取引を実行するための、請求項３７に記載のラジオであって、
当該ユーザインタフェース・タッチ式入力センサーが、ボタンセンサーをさらに有するラジオ。
【請求項３９】
ラジオプログラムデータチャンネルを受信し、かつ取引を実行するための、請求項３７に記載のラジオであって、
当該ユーザインタフェース・タッチ式入力センサーが、指紋スキャナをさらに有するラジオ。
【請求項４０】
ラジオプログラムデータチャンネルを受信し、かつ取引を実行するための、請求項３０に記載のラジオであって、
当該ラジオトランシーバが、携帯電話を有するラジオ。
【請求項４１】
ラジオプログラムデータチャンネルを受信し、かつ取引を実行するための、請求項３０に記載のラジオであって、
当該ラジオトランシーバが、双方向ページャを有するラジオ。
【発明の詳細な説明】
【発明が属する技術分野】
【０００１】
本発明は、移動中の人によって使用されるラジオ放送プログラムの注文の方法と装置に関する。
【０００２】
【従来の技術】
定期的な移動に多くの時間を費やす人は多い。多くの都市部の道路と駅は、１日に数回、何時間にもわたり、自動車や電車／地下鉄／バスを使う通勤者であふれる。自転車やオートバイ類を使う人たちは、ラッシュ時間帯のみならず、ウィークデイと週末の他の時間帯にも見られる。また、長い距離を走る人、歩く人もいる。これらの人たちはすべて、幅広い種類のラジオ放送プログラム、すなわち音楽、ドラマ、コメディ、インタビュー、物語などのエンターテインメントプログラムと、ニュース、あるいは通販プログラム、広告、コマーシャルなどその他のラジオプログラムを楽しめるラジオ受信機を購入する機会がある。
【０００３】
図１は、従来の典型的な乗物用ラジオ受信機と携帯電話を示す。今日の基本受信機１０は、ＦＭ受信機が動作中であるか否かと、動作中であるならチューナ周波数などのステータス情報を視覚的に示すインジケータ２をしばしば有する。カセットテープやＣＤなどのオーディオ記録媒体の挿入／取り出しを可能にするドア４を有することも多い。これ以外の代替媒体として、不揮発性メモリにダウンロードされたオーディオファイルがある。また通常は、押ボタン６の配列があり、この配列はさまざまな構成で、規則的または不規則なパターンに配置することができる。ダイヤル８を有するタイプもある。基本受信機１０は、通常は、ＡＭ放送とＦＭ放送の両方を受信できるのみならず、カセットテープやＣＤなどの記録媒体をしばしば再生できる。オーディオ出力は、自動車では、それぞれワイヤ１６と１８によって受信機１０に結合されるスピーカ１２と１４を使用して実現されることが多い。
【０００４】
自動車を使用しない通勤者と旅行者は、セパレート式のスピーカ用のスペースを通常は確保できない。これに対する解決策は、左右のスピーカ２２、２４と、場合によってはラジオ放送を受信するための電子回路すべて（および場合によってはアンテナ３０）が中に収納されているヘッドセット２０である。ボリュームとチューニングのコントロール２６は、２２などのイヤホーンスピーカ部にしばしば取り付けられる。電池２８は、図示されているようにヘッドセット２０の中に取り付けられることが多い。さらなる改良として、マウント３２によってヘッドセットに取り付けられたマイクロホン３４の追加があげられる。さらなる工夫は、しばしばベルトに取り付けられるユニット４２までの配線４０である。
【０００５】
このベルト取り付け式ユニット４２には、しばしば、前述の基本受信機１０の電子部品が含まれる。さらに、ベルト取り付け式ユニット４２には、しばしば、ステータス情報を視覚的に示すインジケータ４４と、オーディオ記録媒体の装填／取り出しを可能にするドア４６と、押ボタン４８の配列が含まれる。このようなユニット４２は、通常は、ＡＭ放送とＦＭ放送の両方を受信できるのみならず、カセットテープやＣＤなどの記録媒体を再生できることも多い。
【０００６】
一部のパフォーミングアーチストは、携帯式のマイクロホンとヘッドセットの代わりに、ユニット２０−４０−４２に類似するタイプのデバイスを使用する。このような場合、ユニットは携帯電話に類似するトランシーバとして機能し、その忠実度（ｆｉｄｅｌｉｔｙ）は標準の携帯電話より高い。さらに、マイクロホン５２、イヤホーン５４、押ボタンの配列５６と、場合によってはアンテナ５８を有する携帯電話５０は、世界の多くの国で普及している。
【０００７】
図２は、従来の典型的なラジオ放送受信機の単純化されたブロック図を示す。ＦＭアンテナ１００は、ＦＭチューナ１０４に１０２によって結合されている。ＦＭチューナ１０４は、ＦＭ中間周波数処理回路（ＩＦ） １０８に１０６によって結合され、このＦＭ中間周波数処理回路からは、ステレオオーディオ信号１１０がアナログマルチプレクサ／スイッチ１５０に供給される。ＡＭアンテナ１２０は、ＡＭチューナ１２４に１２２によって結合されている。ＡＭチューナ１２４は、アナログマルチプレクサ／スイッチ１５０にオーディオ信号１２６を供給する。テープドライブ１４０は、テーププリアンプ１４４に１４２によって結合されている。テーププリアンプ１４４は、アナログマルチプレクサ／スイッチ１５０にステレオオーディオ信号１４６を供給する。
【０００８】
アナログマルチプレクサ／スイッチ１５０は、上述されている複数の入力から選択するために通常は手動で制御される。アナログマルチプレクサ／スイッチ１５０は、トーン／ボリュームコントロール１６０に供給される一つ以上のオーディオ信号１６２を生成し、トーン／ボリュームコントロール１６０は、一つ以上のパワーアンプ１６４に供給されるオーディオ信号１６６を生成する。パワーアンプ１６４は、オーディオスピーカシステム１６８に１７０によって供給される一つ以上のオーディオ信号を生成する。オーディオスピーカシステム１６８は、１個以上のスピーカを有し、これらのスピーカは、ヘッドセットの中に格納するか、ラジカセなどのエンクロージャの側面に固定する、または自動車の中のように互いに距離をおいて配置することができる。オーディオスピーカシステムへの供給１７０のメカニズムは、配線に基づく物理的な転送層を介して行われることが多いが、無線の物理的な転送層を介して行うこともできる。これらのシステムは、四半世紀にわたりその形態を実質的に変えることなく民生用電子製品市場の中心的な存在であった。しかしながら、このようなシステムと前述されている携帯電話には、不満の声も表れている。
【０００９】
米国にはＲＤＳとして周知の補助的なＦＭ信号プロトコル（ヨーロッパではしばしばＲＤＢＳと呼ばれる）があり、このプロトコルは、米国内の多くのラジオ市場で採用、実施されてきた。ＲＤＳは、標準のＦＭ放送局のチャンネル帯域幅の中に、ＦＭ伝送のオーディオサブ帯域と干渉しないサブ帯域（ｓｕｂ−ｂａｎｄ）を規定する。サブ帯域は、現在、標準の放送局の標準識別情報などのデジタル情報を放送するために使用されている。このサブ帯域は、視点を変えれば、追加のアナログおよび／またはデジタル情報用に対するサブ搬送波とみなすことができる。
【００１０】
図３は、自動車に設置できる従来の典型的なモバイルコンピュータ２００を示す。コンピュータ２００は、一般には自動車のダッシュボード上またはダッシュボード付近に取り付けるように設計されているが、概念的には自転車のハンドルバーに取り付けることもできる。アセンブリ２０２−２０４−２０６は、ある意味でマウスまたはジョイスティックに類似する選択デバイスとして機能する。押板２０４は、その周辺部が押されると、２０６などの領域を選択する。特定の状況では、領域２０２は、固有の共通オプションを選択するときに便利な複数の記号／指示（ｄｅｓｉｇｎａｔｉｏｎ）を含む。ディスプレイ２１０は、コンピュータの状態を示し、メインのユーザ出力機能を提供する。ボタン２１２、２１４、２１６は、ユーザ用タッチ式入力のさらなる配列である。
【００１１】
このようなシステムは、最近になって米国内の市場に登場した。これらのシステムの多くは、携帯式コンピュータのオペレーティングシステムを実行し、ＣＤ、ディスクドライブ、不揮発性半導体メモリなど１基以上の不揮発性メモリシステムにさらにアクセスするメニュードリブン式制御システムをしばしば採用する。しかしながら、このような新しいシステムにも、この種のデバイスと、前述したラジオ受信機および携帯電話に特有の不満が存在する。
【００１２】
今聞いている、または今聞き終えたばかりのラジオプログラムのコピーを購入したい状況を考えてみる。この場合の購入方法についての現状では、このような購買に特有の不満が現在も解決されていない。一つの方法は、放送されたプログラムを単に記憶しておくことである。この場合、すぐにＣＤ店に電話をして、ラジオプログラムを注文するのが、一つの可能性である。この方法は、運転者にとっては危険でないにしても少なくとも注意散漫につながる。運転者と運転者の周囲の人々の生命と健康は、運転者が運転に集中し続けることに依存する。車以外によって移動中の人についても、ほとんどの場合、携帯電話とラジオ放送受信機を同時に取り扱うことは、注意散漫や潜在的な危険性につながらないにしても、やはり非常に不便である。
【００１３】
これに代えて、このような商品を販売している店をあとから訪れることは、他の可能性であろう。この場合には、少なくとも放送された曲目と演奏者を覚えている必要がある。このことは、このような状況のほとんどの場合においてやはり不便であり、注意散漫と潜在的な危険性につながる。
【００１４】
一つの代替方法は、ラジオプログラム、チャンネル、放送時間を記憶に留めて、この情報を使ってラジオプログラムを注文することである。このようなシステムは、最近、特許（米国特許第５，５３９，６３５号）が与えられた。このようなシステムの特徴は、「本発明の要約」からの抜粋にある、ラジオプログラムを注文するユーザの動作の説明文、つまり、「ユーザは自分の電話を使ってシステムに入り、放送の中で聞いた注文しようとする各プログラムの日付、時刻、放送局を入力する」である（第２列、行１８−２１）。この方法は、やはり不便で注意散漫となり、移動中の人の多くの状況において危険である。
【００１５】
移動中のユーザにとってのさらなる問題点は、金融情報の暴露である。携帯電話は、しばしば電子的に盗聴することができる。電車／地下鉄／バスでは、ユーザの近くにいる人は、クレジットカードや加入者番号などの重要な識別情報を盗み聞くことができる。自転車を使う人と徒歩の人についても、同様の状況がしばしば起こりうる。
【００１６】
必要とされているのは、使いやすく、移動中に極めて容易に実行でき、かつ同時にセキュリティを確保できる、ラジオプログラムを注文する方法である。さらに、このような注文方法をサポートするタイプのラジオデバイスも必要とされている。さらに、以下に説明する方法でユーザがラジオプログラムを注文できるように、このようなラジオデバイスを制御する方法も必要とされている。
【００１７】
【課題を解決するための手段】
本発明は、これらの必要性をすべて満たす。この使用方法は、ラジオプログラムを注文する極めて効率的な方法であって、注文がプレゼンテーションに近い時刻に行われ、詳細な情報を覚えておく必要性が最小限となる方法を提供する。この方法は、移動中の人に必要な一連のタッチ式／音声制御方式で実行される。セキュリティのオプションとして、音声署名、ボタンシーケンス、指紋識別を含む。ユーザへのフィードバックは、オーディオ形式と視覚表示形式の両方で実行される。
【００１８】
ラジオデバイスは、ラジオプログラムに関する重要な情報を含むＩＦ信号源、埋込式コントローラ、ユーザインタフェースと、注文取引が実行されるラジオトランシーバとをサポートする。ＩＦ信号源は、デジタルまたはアナログである。埋込式コントローラは、制御プログラムとセキュリティ署名をサポートする書込可能な不揮発性メモリを含む。ユーザインタフェースは、押ボタン、オーディオ入力とユーザへのオーディオ出力、ユーザへの視覚出力、指紋スキャナをサポートする。ラジオトランシーバは、携帯電話または双方向ページャとして実行できる。
【００１９】
ラジオを制御する方法は、注文する、注文システムに追加情報を照会する、ユーザの識別署名を初期化する、ユーザを識別することによってセッションを初期化する、ユーザが識別されない場合に注文へのアクセスを阻止する、特定の実施例においては警察に電話をする、という基本的な動作をサポートする。特定の実施例においては、ユーザの識別署名は、一つ以上のボタンシーケンス、音声署名、指紋を含むことができる。
【００２０】
本発明のこれらの利点およびその他の利点は、以下の詳細な説明を読み、さまざまな図面を検討することによって明確になるであろう。
【００２１】
【発明を実施するための形態】
図１、２、３は、従来の技術について言及しており、
【従来の技術】の中ですでに説明されている。
【００２２】
まず、本明細書で使用される主要な用語を説明する。
【００２３】
ラジオベースプログラムとは、無線放送の物理的な転送（ｗｉｒｅｌｅｓｓ ｂｒｏａｄｃａｓｔ ｐｈｙｓｉｃａｌ ｔｒａｎｓｐｏｒｔ）により得られる、認識可能なプログラミングエンティティを意味する。ラジオベースプログラムは、エンターテインメント、教育、ニュース、ニュース解説のプレゼンテーションを意味する（ただしこれらに限定されるものではない）。このようなプレゼンテーションには、著作権を持つ音楽、ドラマ、物語、コメディ、インタビュー、ニュースが含まれる（ただしこれらに限定されるものではない）。さらに、このようなプレゼンテーションには、株式市場の分析／報告、広告、コマーシャルも含まれる（ただしこれらに限定されるものではない）。
【００２４】
乗物用ラジオとは、視聴者が、自転車、マラソン、ローラーブレード、スケートボードなどを行っている、または自動車、トラック、バン、オートバイを運転しているなどの移動中に、ラジオベースのプログラムを受信できるラジオシステムを意味する。
【００２５】
乗物ボタン配列とは、乗物用ラジオのユーザが触れるまたは押すことができ、かつ乗物用ラジオの動作に影響する１個以上のボタンを意味する。
【００２６】
埋込式コントローラとは、コンピュータ可読メモリに結合されたコンピュータ（ただしこれに限定されることはない）を含むデジタル制卸システムを意味する。読み取り可能なメモリとしては、ＣＤ ＲＯＭ、ディスクドライブ、ＲＡＭ、不揮発性半導体メモリのほか、リムーバブルストレージインタフェースによって埋込式コントローラに結合されたリムーバブルストレージデバイスなど複数の種類のコンピュータメモリが含まれる。リムーバブルストレージデバイスとして、フロッピィディスク、ＣＤ、半導体ディスクが含まれる（ただしこれらに限定されるものではない）。
【００２７】
書込可能な不揮発性（ｎｏｎ−ｖｏｌａｔｉｌｅ）メモリとは、目的をもって変更できる少なくとも一つのアクセス可能なワードを含む不揮発性メモリを意味する。不揮発性（ｎｏｎ−ｖｏｌａｔｉｌｉｔｙ）メモリは、メモリに電力が供給されていなくてもその内容を保持するであろう。
【００２８】
図４は、本発明の一実施例による乗物用ラジオベースプログラムの選択／注文システムの使用に関するフローチャートを示す。動作１０００により、このフローチャートの動作が開始される。矢印１００２により、使用が動作１０００から動作１００４に導かれる。動作１００４により、ラジオプログラムのプレゼンテーションが認識される。矢印１００６により、使用態様が動作１００４から動作１００８に導かれる。動作１００８により、ラジオプログラムのプレゼンテーションに近い時刻にラジオプログラムが選択される。矢印１０１０により、使用態様が動作１００８から動作１０１２に導かれる。動作１０１２により、ラジオプログラムの選択確認の認識が行われる。矢印１０１４により、使用態様が動作１０１２から動作１０１６に導かれる。動作１０１６により、ラジオプログラムの選択確認への応答が行われる。矢印１０１８により、使用態様が動作１０１６から動作１０２０に導かれる。動作１０２０により、このフローチャートの動作が終了する。
【００２９】
図５は、特定の実施例に従う、ラジオプログラムのプレゼンテーションに近い時刻にラジオプログラムを選択する図４の動作１００８の詳細なフローチャートを示す。矢印１０４０により、使用が開始動作１００８から動作１０４２に導かれる。動作１０４２は、このラジオプログラムが選択されたことについて音響的な信号を発する。矢印１０４４により、使用態様が動作１０４２から動作１０４６に導かれる。動作１０４６は、このフローチャートの動作を終了させる。
【００３０】
図６は、特定の実施例に従う、ラジオプログラムのプレゼンテーションに近い時刻にラジオプログラムを選択する図４の動作１００８の詳細なフローチャートを示す。矢印１０６０により、使用が開始動作１００８から動作１０６２に導かれる。動作１０６２は、このラジオプログラムの選択を合図するために少なくとも１個のボタンを押す。矢印１０６４により、使用態様が動作１０６２から動作１０６６に導かれる。動作１０６６は、このフローチャートの動作を終了させる。
【００３１】
図７は、特定の実施例に従う、ラジオプログラムの選択確認を認識する図４の動作１０１２の詳細なフローチャートを示す。矢印１０８０により、使用が開始動作１０１２から動作１０８２に導かれる。動作１０８２は、ラジオプログラムの選択の説明を聞く。矢印１０８４により、使用態様が動作１０８２から動作１０８６に導かれる。動作１０８６は、このフローチャートの動作を終了させる。
【００３２】
図８は、特定の実施例に従う、ラジオプログラムの選択確認を認識する図４の動作１０１２の詳細なフローチャートを示す。矢印１１００により、使用が開始動作１０１２から動作１１０２に導かれる。動作１１０２は、ラジオプログラムの選択の説明を読む。矢印１１０４により、使用態様が動作１１０２から動作１１０６に導かれる。動作１１０６は、このフローチャートの動作を終了させる。
【００３３】
図９は、特定の実施例に従う、乗物の所有者を識別する、図４の動作１０００への追加動作１１２０のフローチャートを示す。動作１１２０は、このフローチャートの動作を開始する。矢印１１２２により、使用が動作１１２０から動作１１２４に導かれる。動作１１２４は、乗物の所有者の識別を行う。矢印１１２６により、使用態様が動作１１２４から動作１１２８に導かれる。動作１１２８は、このフローチャートの動作を終了させる。
【００３４】
図１０は、特定の実施例に従う、ラジオプログラムの選択確認に応答する動作１０１６の詳細なフローチャート示す。矢印１１４０により、使用が開始動作１０１６から動作１１４２に導かれる。動作１１４２は、選択したラジオプログラムの注文を行う。矢印１１４４により、使用態様が動作１１４２から動作１１４６に導かれる。動作１１４６は、このフローチャートの動作を終了させる。矢印１１５０により、使用が開始動作１０１６から動作１１５２に導かれる。動作１１５２は、ラジオプログラムの選択の取消を行う。矢印１１５４により、使用態様が動作１１５２から動作１１４６に導かれる。動作１１４６は、このフローチャートの動作を終了させる。
【００３５】
使用態様が、選択されたラジオプログラムを注文する、またはラジオプログラムの選択を取消すのいずれかを行う点は、留意すべきである。特定の実施例の場合、取消は、特定の所定の時間が経過した後に自動的に行っても良い。
【００３６】
図１１は、 特定の実施例に従う、この乗物の所有者を識別する図９の動作１１２４の詳細なフローチャートを示す。矢印１１７０により、使用が開始動作１１２４から動作１１７２に導かれる。動作１１７２は、所有者を識別する署名シーケンスを話す。矢印１１７４により、使用態様が動作１１７２から動作１１７６に導かれる。動作１１７６は、このフローチャートの動作を終了させる。
【００３７】
特定の実施例の場合、動作１１７２は、ラジオプログラムセッション中に一度しか実行できない点は、留意すべきである。特定のさらなる実施例では、このようなラジオプログラムセッションは、所定の時間間隔以内にユーザの応答がない場合には、終了させることができる。
【００３８】
図１２は、特定の実施例に従う、所有者を識別する署名シーケンスを初期化する、図９の動作１１２０への追加動作１１９０のフローチャートを示す。動作１１９０は、このフローチャートの動作を開始する。矢印１１９２により、使用が動作１１９０から動作１１９４に導かれる。動作１１９４は、所有者を識別する署名シーケンスの初期化を行う。矢印１１９６により、使用態様が動作１１９４から動作１１９８に導かれる。動作１１９８は、このフローチャートの動作を終了させる。
【００３９】
特定の実施例の場合、動作１１９０は、使用されるデバイスの購入時に一度実行すれば良い点は、留意すべきである。特定のさらなる実施例では、所有者を識別する複数の署名シーケンスを初期化しても良い。特定の代替の実施例では、動作１１９０は、使用されるデバイスの購入後に実行しても良い。
【００４０】
図１３は、特定の実施例に従う、この乗物の所有者を識別する図９の動作１１２４の詳細なフローチャートを示す。矢印１２１０により、使用が開始動作１１２４から動作１２１２に導かれる。動作１２１２は、所有者を識別するボタンシーケンス押す。矢印１２１４により、使用態様が動作１２１２から動作１２１６に導かれる。動作１２１６は、このフローチャートの動作を終了させる。
【００４１】
特定の実施例の場合、動作１２１２は、ラジオプログラムセッション中に一度しか実行できない点は、留意すべきである。特定のさらなる実施例では、このようなラジオプログラムセッションは、所定の時間間隔以内にユーザの応答がない場合に、終了させることができる。
【００４２】
図１４は、所有者を識別するボタンシーケンスを初期化する、図９の動作１１２０への追加動作１１９０のフローチャートを示す。動作１２３０は、このフローチャートの動作を開始する。矢印１２３２により、使用が動作１２３０から動作１２３４に導かれる。動作１２３４は、所有者を識別するボタンシーケンスの初期化を行う。矢印１２３６により、使用態様が動作１２３４から動作１２３８に導かれる。動作１２３８は、このフローチャートの動作を終了させる。
【００４３】
特定の実施例の場合、動作１２３０は、使用されるデバイスの購入時に一度実行すれば良いことは、留意すべきである。特定のさらなる実施例では、所有者を識別する複数のボタンシーケンスを初期化しても良い。特定の代替の実施例では、動作１２３０は、使用されるデバイスの購入後に実行しても良い。
【００４４】
図１５は、特定の実施例に従う、この乗物の所有者を識別する図９の動作１１２４の詳細なフローチャートを示す。矢印１２５０により、使用が開始動作１１２４から動作１２５２に導かれる。動作１２５２は、指紋スキャナを押す。矢印１２５４により、使用態様が動作１２５２から動作１２５６に導かれる。動作１２５６は、このフローチャートの動作を終了させる。
【００４５】
ここで、特定の実施例では、動作１２５２は、ラジオプログラムセッション中に一度しか実行することができない点は、留意すべきである。特定のさらなる実施例では、このようなラジオプログラムセッションは、所定の時間間隔以内にユーザの応答がない場合に終了させることができる。
【００４６】
図１６は、特定の実施例に従う、指紋スキャナを最初に押す、図９の動作１１２０への追加動作１２７０のフローチャートを示す。動作１２７０は、このフローチャートの動作を開始する。矢印１２７２により、使用が動作１２７０から動作１２７４に導かれる。動作１２７４は、最初に指紋スキャナを押す。矢印１２７６は、使用態様が動作１２７４から動作１２７８に導かれる。動作１２７８は、このフローチャートの動作を終了させる。
【００４７】
ここで、特定の実施例の場合、動作１２７４は、使用されるデバイスの購入時に一度実行すれば良い点は、留意すべきである。特定のさらなる実施例では、所有者の複数の指紋スキャンを初期化しても良い。特定の代替の実施例の場合、動作１２７４は使用されるデバイスの購入後に実行しても良い。
【００４８】
図１７は、特定の実施例に従う、選択されたラジオプログラムを注文する図１０の動作１１４２の詳細なフローチャートを示す。矢印１２９０により、使用が、開始動作１１４２から動作１２９２に導かれる。動作１２９２は、指紋スキャナを押す。矢印１２９４は、使用態様を動作１２９２から動作１２９６に導く。動作１２９６は、このフローチャートの動作を終了させる。
【００４９】
図１８は、乗物用ラジオベースプログラムの選択／注文システムを制御するフローチャートを示す。動作１４００は、このフローチャートの動作を開始する。矢印１４０２により、実行の流れが動作１４００から動作１４０４に導かれる。動作１４０４は、符号化されたラジオプログラムデータチャンネルを受信する。矢印１４０６により、実行が動作１４０４から動作１４０８に導かれる。動作１４０８は、ラジオプログラムを感知する。矢印１４１０により、動作１４０８から動作１４１２に実行が導かれる。動作１４１２は、この感知されたラジオプログラムの選択を判断する。矢印１４１４により、実行が動作１４１２から動作１４１６に導かれる。動作１４１６は、ラジオプログラムが感知されたときに、受信された符号化されたラジオプログラムデータチャンネルからのラジオプログラムの確認を表示する。矢印１４１８により、実行が動作１４１６から動作１４２０に導かれる。動作１４２０は、表示されたラジオプログラムの確認と感知されたラジオプログラムの選択への応答を感知する。矢印１４２２により、実行が動作１４２０から動作１４２４に導かれる。動作１４２４は、このフローチャートの動作を終了させる。
【００５０】
図１９は、特定の実施例に従う、符号化されたラジオプログラムデータチャンネルを受信する図１８の動作１４０４の詳細なフローチャートを示す。矢印１４４０により、実行の流れが開始動作１４０４から動作１４４２に導かれる。動作１４４２は、内部のラジオプログラムデータチャンネルの受信を行う。矢印１４４４により、実行が動作１４４２から動作１４４６に導かれる。動作１４４６は、感知された内部のラジオプログラムデータチャンネルを処理して、ラジオプログラムのデータ記述子ストリームを作成する。矢印１４４８により、実行が動作１４４６から動作１４５０に導かれる。動作１４５０は、このフローチャートの動作を終了させる。
【００５１】
図２０は、特定の実施例に従う、ラジオプログラムを感知する図１８の動作１４１２の詳細なフローチャートを示す。矢印１４７０により、実行の流れが開始動作１４１２から動作１４７２に導かれる。動作１４７２は、ラジオプログラムのチャンネル番号を感知して、感知されたラジオチャンネル番号を作成する。矢印１４７４により、実行が動作１４７２から動作１４７６に導かれる。動作１４７６は、感知されたラジオチャンネル番号に基づいてラジオプログラムのデータ記述子ストリームを復号化して、感知されたラジオプログラムのラジオプログラムデータ記述子を作成する。矢印１４７８により、実行が動作１４７６から動作１４８０に導かれる。動作１４８０は、このフローチャートの動作を終了させる。
【００５２】
図２１は、特定の実施例に従う、ラジオプログラムの確認を表示する図１８の動作１４１６の詳細なフローチャートを示す。矢印１５００により、実行の流れが開始動作１４１６から動作１５０２に導かれる。動作１５０２は、ラジオプログラムの確認テキストの生成を行う。矢印１５０４により、実行が動作１５０２から動作１５０６に導かれる。動作１５０６は、ラジオプログラムの確認テキストの表示を行う。矢印１５０８により、実行が動作１５０６から動作１５１０に導かれる。動作１５１０は、このフローチャートの動作を終了させる。
【００５３】
図２２は、特定の実施例に従う、表示されたラジオプログラムの確認への応答を感知する図１８の動作１４２０の詳細なフローチャート示す。矢印１５３０により、実行の流れが開始動作１４２０から動作１５３２に導かれる。動作１５３２は、選択されたラジオプログラムの注文を行う。矢印１５３４により、実行が動作１５３２から動作１５３６に導かれる。動作１５３６は、このフローチャートの動作を終了させる。
【００５４】
矢印１５４０は、実行の流れを開始動作１４２０から動作１５４２に導く。動作１５４２は、選択されたラジオプログラムの取消を判断する。矢印１５４４により、実行が動作１５４２から動作１５３６に導かれる。動作１５３６は、このフローチャートの動作を終了させる。
【００５５】
図２３は、特定の実施例に従う、ラジオプログラムを注文する図２２の動作１５３２の詳細なフローチャートを示す。矢印１５６０により、実行の流れが開始動作１５３２から動作１５６２に導かれる。動作１５６２は、選択されたラジオプログラムの注文を判断する。矢印１５６４により、動作１５６２での判断が「Ｙｅｓ」のときに、実行が動作１５６２から動作１５６６に導かれる。動作１５６６は、選択されたラジオプログラムのラジオプログラム購買メッセージの送信を行う。矢印１５６８により、実行が動作１５６６から動作１５７０に導かれる。動作１５７０は、このフローチャートの動作を終了させる。矢印１５７２は、動作１５６２での判断が「Ｎｏ」のときに、実行を動作１５６２から動作１５７０に導く。
【００５６】
図２４は、特定の実施例に従う、乗物用ラジオベースプログラムの選択／注文システムを制御する動作の別のフローチャートを示す。動作１５９０は、このフローチャートの動作を開始する。矢印１５９２により、実行の流れが動作１５９０から動作１５９４に導かれる。動作１５９４は、乗物内部オーディオフィードバックチャンネルを感知して、感知された乗物オーディオフィードバックストリームを作成する。矢印１５９６により、実行が動作１５９４から動作１５９８に導かれる。動作１５９８は、感知された乗物オーディオフィードバックを処理して、処理された乗物オーディオフィードバックを作成する。矢印１５００により、実行が動作１５９８から動作１５０２に導かれる。動作１５０２は、このフローチャートの動作を終了させる。
【００５７】
図２５は、特定の実施例に従う、感知されたラジオプログラムの選択を判断する図１８の動作１４１２の詳細なフローチャート示す。矢印１６２０により、実行の流れが開始動作１４１２から動作１６２２に導かれる。動作１６２２は、処理された乗物オーディオフィードバックを判断して、感知されたラジオプログラムの判断された選択を作成する。矢印１６２４により、実行が動作１６２２から動作１６２６に導かれる。動作１６２６は、このフローチャートの動作を終了させる。
【００５８】
図２６は、特定の実施例に従う、選択されたラジオプログラムの注文を判断する図２３の動作１５６２の詳細なフローチャートを示す。矢印１６４０により、実行の流れが開始動作１５６２から動作１６４２に導かれる。動作１６４２は、処理された乗物オーディオフィードバックを判断して、選択されたラジオプログラムの判断された注文を作成する。矢印１６４４により、実行が動作１６４２から動作１６４６に導かれる。動作１６４６は、このフローチャートの動作を終了させる。
【００５９】
図２７は、特定の実施例に従う、ラジオプログラムの確認テキストを表示する図１８の動作１４１６の詳細なフローチャートを示す。矢印１６７０により、実行の流れが開始動作１４１６から動作１６７２に導かれる。動作１６７２は、ラジオプログラムの確認テキストをオーディオ処理して、ラジオプログラムのオーディオ確認スクリプトを作成する。矢印１６７４により、実行が動作１６７２から動作１６７６に導かれる。動作１６７６は、ラジオプログラムのオーディオ確認スクリプトをオーディオ出力デバイスに送る。矢印１６７８により、実行が動作１６７６から動作１６８０に導かれる。動作１６８０は、このフローチャートの動作を終了させる。
【００６０】
図２８は、特定の実施例に従う、ラジオプログラムの確認テキストを表示する図１８の動作１４１６の詳細なフローチャートを示す。矢印１７００により、実行の流れが開始動作１４１６から動作１７０２に導かれる。動作１７０２は、選択されたラジオプログラムの購買照会の送信を行う。矢印１７０４により、実行が動作１７０２から動作１７０６に導かれる。動作１７０６は、選択されたラジオプログラムの購買照会への応答の受信を行う。矢印１７０８により、実行が動作１７０６から動作１７１０に導かれる。動作１７１０は、選択されたラジオプログラムの購買照会応答からラジオプログラムの確認テキストを生成する。矢印１７１２により、実行が動作１７１０から動作１７１４に導かれる。動作１７１４は、このフローチャートの動作を終了させる。
【００６１】
図２９は、特定の実施例に従う、ラジオプログラムの確認テキストを表示する図１８の動作１４１６の詳細なフローチャートを示す。矢印１７３０により、実行の流れが開始動作１４１６から動作１７３２に導かれる。動作１７３２は、ラジオプログラムの確認テキストを視覚出力装置に提示する。矢印１７３４により、実行が動作１７３２から動作１７３６に導かれる。動作１７３６は、このフローチャートの動作を終了させる。
【００６２】
図３０は、特定の実施例に従う、乗物用ラジオベースプログラムの選択／注文システムを制御する動作の別のフローチャートを示す。動作１７５０は、このフローチャートの動作を開始する。矢印１７５２により、実行の流れが動作１７５０から動作１７５４に導かれる。動作１７５４は、固有のユーザの使用を初期化してその固有のユーザの署名を作成する。矢印１７５６により、実行が動作１７５４から動作１７５８に導かれる。動作１７５８は、このフローチャートの動作を終了させる。矢印１７６０により、実行の流れが開始動作１７５０から動作１７６２に導かれる。動作１７６２は、固有のユーザの署名を利用して初めてのユーザの使用態様セッションの初期化を行う。矢印１７６４により、実行が動作１７６２から動作１７５８に導かれる。動作１７５８は、このフローチャートの動作を終了させる。
【００６３】
ここで、動作１７５４と１７６２は、押ボタン（ただしこれに限定されることはない）など多数の異なるメカニズムにより選択できる点は、留意すべきである。
【００６４】
図３１は、特定の実施例に従う、固有のユーザの署名を利用して初めてのユーザに対して使用態様セッションを初期化する図３０の動作１７６２の詳細なフローチャートを示す。動作１７８０は、このフローチャートの動作を開始する。矢印１７８２により、実行の流れが動作１７８０から動作１７８４に導かれる。動作１７８４は、初めてのユーザの応答をサンプリングして初めてのユーザの署名を作成する。矢印１７８６は、実行を動作１７８４から動作１７８８に導く。動作１７８８は、固有のユーザの署名と初めてのユーザの署名を比較して署名比較を作成する。矢印１７９０により、実行が動作１７８８から動作１７９２に導かれる。動作１７９２は、比較が一致しないときに初めてのユーザによるアクセスを阻止する。矢印１７９４により、実行が動作１７９２から動作１７９６に導かれる。動作１７９６は、このフローチャートの動作を終了させる。
【００６５】
図３２は、特定の実施例に従う、比較が一致しないときに初めてのユーザによるアクセスを阻止する図３１の動作１７９０の詳細なフローチャートを示す。矢印１８１０は、実行の流れを開始動作１７９０から動作１８１２に導く。動作１８１２は、初めてのユーザの署名に基づく盗難デバイスレポートの送信を行う。矢印１８１４は、実行を動作１８１２から動作１８１６に導く。動作１８１６は、このフローチャートの動作を終了させる。
【００６６】
図３３は、乗物用ラジオを制御する開示および請求されている方法を実施するプログラムの常駐域をさまざまな実施例において提供するいくつの形式のメモリとコンピュータとを示す、高水準システムブロック図を示す。コンピュータ１８３０は、矢印１８４２によって示される読取アクセス動作によって、コンピュータ可読メモリ１８４０に結合されている。特定の実施例によると、乗物用ラジオを制御する本発明による方法を実施する少なくとも一つのプログラムをこのメモリ１８４０の中に格納できる。特定のさらなる実施例においては、本発明による方法を実施する少なくとも一つのプログラムを、コンピュータ可読メモリ１８４０のメモリ領域の中に含まれる第一不揮発性メモリ１８４６の中に格納できる。この第一不揮発性メモリ１８４６の一部またはすべてと、コンピュータ可読メモリ１８４０の一部またはすべてには、コンピュータ１８３０からの矢印１８４４によって示される書込動作によって正常にアクセスできる。上述のメモリシステムの特定の望ましい実施例には、ＲＡＭ、バッテリーバックアップ式ＲＡＭ、不揮発性半導体メモリ、ＲＡＭと不揮発性半導体メモリの組合せ、ＲＡＭと各種のディスクメモリの組み合わせが含まれる。不揮発性メモリには、ＲＯＭ、ＥＰＲＯＭ、ＥＥＰＲＯＭ、フラッシュＥＥＰＲＯＭメモリ技術、または電磁記録媒体と光学的記録媒体の両方を含めてのディスクメモリを具体化する一つ以上のデバイスが含まれる（ただしこれらに限定されるものではない）。
【００６７】
結合アクセス動作１８４２と１８４４は、コンピュータバスとアドレス可能なポート通信方式など（ただしこれに限定されることはない）のさまざまなメカニズムを使用して実行できる。コンピュータバスとしては、多重化アドレス／データバス、逆多重化（ｄｅｍｕｌｔｉｐｌｅｘｅｄ）アドレス／データバスと、符号化された多重化アドレス／データバスがある（ただしこれらに限定されるものではない）。多重化コンピュータバスは、アドレス信号用とデータ信号用にバスリソースを共有し、このためほとんどの動作は、アドレス信号とデータ信号を転送するのに個別のバス状態を伴う。多くのソリッドステート・ディスクバスは、多重化アドレス／データバスの例である。逆多重化アドレス／データバスは、アドレス信号とデータ信号のバスリソースを共有せず、このためアドレス信号とデータ信号を一つのバス状態で転送することができる。ＰＣＩバスは、このような逆多重化アドレス／データバスの例である。符号化された多重化アドレス／データバスは、これらのアドレス信号とデータ信号を符号化し、このためアドレス信号とデータ信号の少なくともいくつかを転送するのにいくつかのバス状態が必要となる。ＵＳＢ （Ｕｎｉｖｅｒｓａｌ Ｓｅｒｉａｌ Ｂｕｓ）は、符号化された多重化アドレス／データバスの例である。
【００６８】
コンピュータ１８３０は、矢印１８５２によって示されるように、読取動作をサポートする方式で第二不揮発性メモリ１８５０にも結合されている。この第二不揮発性メモリ１８５０は、乗物用ラジオを制御する開示および請求されている方法を実施する少なくとも一つのプログラムの常駐域を提供することができる。特定のさらなる実施例では、第二不揮発性メモリ１８５０は、矢印１８５４によって示されるようにコンピュータ１８３０から書き込むことができる。
【００６９】
リムーバブルストレージインタフェース１８６２に接続され（１８６４）、かつコンピュータ１８３０に読取結合された（１８６６）リムーバブルストレージデバイス１８６０は、特定の実施例による、乗物用ラジオを制御する開示した方法を実施する少なくとも一つのプログラムの常駐域を提供する。
【００７０】
図３４は、一実施例に従う、乗物用ラジオベースプログラムの選択／注文システムの使用に関する概要フローチャートを示す。動作１９００は、このフローチャートの動作を開始する。矢印１９０２により、使用態様が動作１９００から動作１０００に導かれる。動作１０００は、前の図４に関して説明した動作を実行する。矢印１９０４により、使用態様が動作１０００から動作１９０６に導かれる。動作１９０６は、このフローチャートの動作を終了させる。
【００７１】
矢印１９１０により、使用態様が開始動作１９００から動作１１２０に導かれる。動作１１２０は、図９に関して説明した動作を実行する。矢印１９１２により、使用態様が動作１１２０から動作１９０６に導かれる。動作１９０６は、このフローチャートの動作を終了させる。
【００７２】
矢印１９２０により、使用態様が開始動作１９００から動作１１９０に導かれる。動作１１９０は、図１２に関して説明した動作を実行する。矢印１９２２により、使用態様が動作１１９０から動作１９０６に導かれる。動作１９０６は、このフローチャートの動作を終了させる。
【００７３】
矢印１９３０により、使用態様が開始動作１９００から動作１２３０に導かれる。動作１２３０は、図１４に関して説明されている動作を実行する。矢印１９３２により、使用態様が動作１２３０から動作１９０６に導かれる。動作１９０６は、このフローチャートの動作を終了させる。
【００７４】
矢印１９４０により、使用態様が開始動作１９００から動作１２７０に導かれる。動作１２７０は、図１６に関して説明した動作を実行する。矢印１９４２により、使用態様が動作１２７０から動作１９０６に導かれる。動作１９０６は、このフローチャートの動作を終了させる。
【００７５】
図３５は、特定の実施例に従う、乗物用ラジオベースプログラムの選択／注文システムを制御する動作の概要フローチャートを示す。動作１９５０は、このフローチャートの動作を開始する。矢印１９５２により、実行の流れが動作１９５０から動作１４００に導かれる。動作１４００は、図１８に関して説明されている動作を実行する。矢印１９５４により、実行が動作１４００から動作１９５６に導かれる。動作１９５６は、このフローチャートの動作を終了させる。
【００７６】
矢印１９６０により、実行の流れが開始動作１９５０から動作１５９０に導かれる。動作１５９０は、図２４に関して説明した動作を実行する。矢印１９６２により、実行が動作１５９０から動作１９５６に導かれる。動作１９５６は、このフローチャートの動作を終了させる。
【００７７】
矢印１９７０により、実行の流れが開始動作１９５０から動作１７５０に導かれる。動作１７５０は、図３０に関して説明した動作を実行する。矢印１９７２により、実行が動作１７５０から動作１９５６に導かれる。動作１９５６は、このフローチャートの動作を終了させる。
【００７８】
ここで、これらの動作に実行を導くことは、例えば、イベントドリブン式のリアルタイムオペレーティングシステム上で実行されるアプリケーションの中のイベント処理メカニズムの一部として、ボタンを押す、およびメニューオプションを選択するなど（ただしこれらに限定されるものではない）のさまざまなメカニズムによって達成できる点に留意すべきである。
【００７９】
図３６は、特定の実施例に従って、ラジオプログラムデータチャンネルを受信しかつ取引を実行するためのラジオのシステムブロック図を示す。図示されている埋込式コントローラ２０００には、書込可能な不揮発性メモリ部品１８４６を含むコンピュータ可読メモリ１８４０が含まれる。ラジオプログラムデータチャンネルの受信機２００２は、埋込式コントローラ２０００に結合され（２００４）、埋込式コントローラによって読取アクセス可能なラジオプログラムデータチャンネルストリームを生成する。
【００８０】
ラジオトランシーバ２０１０は、埋込式コントローラから取引出力メッセージを受信する埋込式コントローラに結合され（２０１２）ている。ラジオトランシーバ２０１０は、埋込式コントローラ２０００によって読取アクセス可能な取引入力ストリーム２０１４を生成する。
【００８１】
ユーザインタフェース回路２０２０は、この埋込式コントローラによって読取アクセス可能なユーザ選択データを生成する埋込式コントローラ２０００に結合されている（２０２４）。ユーザインタフェース回路２０２０は、この埋込式コントローラ２０００からユーザ出力データを受信する（２０２２）。
【００８２】
図３７は、システムブロック２００２、すなわち特定のさらなる実施例に従う、図３６に示されているラジオプログラムデータチャンネルの受信機の詳細システムブロック図を示す。ラジオは、さらに外部ＩＦ信号入力ポート２０３４を含む。ラジオプログラムデータチャンネル受信機２００２には、この外部ＩＦ入力信号ポート２０３４に２０３２によって結合された入力ポート２０３６を含むラジオプログラムデータチャンネル分離器２０３０が含まれる。ラジオプログラムデータチャンネル分離器２０３０は、ラジオプログラムデータチャンネルストリームを供給する、埋込式コントローラ２０００に結合された（２００４）デジタル出力ポート２０３８をさらに含む。
【００８３】
特定の実施例では、外部ＩＦ信号ポート２０３４は、ＲＤＢＳサブ帯域の受信に必要な場合のように、ＦＭ ＩＦ段１０８の出力１１０から得ることができる。特定の代替の実施例では、外部ＩＦ信号入力ポート２０３４は、標準のＦＭ放送とは独立して送信される異なる信号プロトコルから得ることができる。このような代替の実施例には、他のアプリケーションのＡＭ、ＦＭ、ＦＤＭＡ（周波数分割多元接続）、ＴＤＭＡ（時分割多元接続）、Ｗａｖｅｌｅｔ Ｄｉｖｉｓｉｏｎ Ｍｕｌｔｉｐｌｅ Ａｃｃｅｓｓのほか、直接拡散方式（ＣＤＭＡ）、拡散コードとスクランブルコードの両方と周波数ホッピングおよび時間ホッピングを採用する広帯域ＣＤＭＡ （Ｗｉｄｅｂａｎｄ ＣＤＭＡ）などの各種の拡散スペクトル技術が含まれる（ただしこれらに限定されるものではない）。
【００８４】
図３８は、外部ＩＦ信号入力ポートがアナログ信号プロトコルをサポートする特定のさらなる実施例に従う、図３７に示されているラジオプログラムデータチャンネル分離器２０３０の詳細システムブロック図を示す。ラジオプログラムデータチャンネル分離器２０３０は、アナログ分離回路２０５０を含む。アナログ分離回路２０５０は、外部ＩＦ信号入力ポート２０３６に２０４４によって結合された第一アナログ入力ポートと、ラジオプログラムデータチャンネル分離器のデジタル出力に結合された（２０４８）第一デジタル出力ポートを含む。アナログ分離回路２０５０は、さらに、Ａ／Ｄコンバータ２０４０を含む。このＡ／Ｄコンバータ２０４０は、第一アナログ入力ポートに結合された（２０４４）第二アナログ入力ポート２０４２と、第一デジタル出力ポートに結合された（２０４８）第二デジタル出力ポート２０４６を有する。
【００８５】
図３９は、外部ＩＦ信号入力ポートがアナログ信号プロトコルをサポートする特定のさらなる実施例に従う、図３８に示されているアナログ分離回路２０５０の詳細システムブロック図を示す。このアナログ分離回路２０５０には、外部ＩＦ入力信号２０３６に結合された（２０６４）入力ポート２０６２と、Ａ／Ｄコンバータの入力ポート２０４２に結合された（２０６８）出力ポート２０６６とを含む帯域フィルタが含まれる。
【００８６】
図４０は、ユーザ出力データのオーディオ出力２０８６を供給するユーザインタフェース・オーディオ出力インタフェースをサポートする特定の実施例に従う、図３６に示したユーザインタフェース２０２０の詳細システムブロック図を示す。ここで、特定の実施例では、ユーザインタフェース・オーディオ出力インタフェース２０８０が、デジタルインタフェースを提供できる点に、留意すべきである。特定の代替の実施例では、ユーザインタフェース・オーディオ出力インタフェース２０８０は、アナログインタフェースを提供できる。特定の実施例では、ユーザインタフェース・オーディオ出力インタフェース２０８０は、ミキサーに供給できる（２０８４）。特定の実施例では、ユーザインタフェース・オーディオ出力インタフェース２０８０は、マルチプレクサに供給できる（２０８４）。
【００８７】
図４１は、ユーザオーディオ入力データストリームを埋込コントローラ２０００に供給するユーザインタフェース・オーディオ入力センサー２１００をサポートする特定の実施例に従う、図３６に示したユーザインタフェース２０２０の詳細システムブロック図を示す。ここで、オーディオ入力センサー２１００は、オーディオ入力２１０２を出力結合２０２４に結合するＡ／Ｄコンバータを含むことができる点に留意すべきである。特定のさらなる実施例では、オーディオ入力センサー２１００は、Ａ／Ｄコンバータとオーディオ入力２１０２の間に結合されたアンプをさらに含むことができる。さらなる特定の実施例では、オーディオ入力センサー２１００は、Ａ／Ｄコンバータとオーディオアンプの間に結合されたフィルタをさらに含むことができる。
【００８８】
図４２は、ユーザ出力データ２０２２の視覚出力２１２２を供給する視覚出力デバイス２１００をサポートする特定の実施例に従う、図３６に示したユーザインタフェース２０２０の詳細システムブロック図を示す。視覚出力デバイス２１００は、特定の実施例では、発光ダイオード（ＬＥＤ）デバイスを含む（ただしこれに限定されることはない）。この発光ダイオードデバイスは、さらに、複数の発光ダイオード部品を含むことができる。視覚出力デバイス２１００は、特定の実施例では、幅広い計算器、携帯式コンピュータ、ノートブックコンピュータに使われているフラットパネルディスプレイを含むことができる（ただしこれに限定されることはない）。
【００８９】
図４３は、ユーザ・タッチ式入力データストリーム２０２４を供給するユーザインタフェース・タッチ式入力センサー２１４０をサポートする特定の実施例に従う、図３６に示されているユーザインタフェース２０２０の詳細システムブロック図を示す。図４４と４６は、タッチ式入力のサポートを提供するユーザインタフェース・タッチ式入力センサー２１４０に含まれるデバイスの２つの実施例を示す。これらの図は、ユーザ・タッチ式入力の範囲を制限するものではなく、特定のアプリケーションにおける有利な例を示すことを目的としている。その他の例は、タッチ式パッドと近接センサーを含む（ただしこれらに限定されることはない）。
【００９０】
図４４は、ボタンセンサー２１６０を含むユーザインタフェース・タッチ式入力センサー２１４０をサポートする特定の実施例に従う、図４３に示されているユーザインタフェース・タッチ式入力センサー２１４０の詳細システムブロック図を示す。ボタンセンサー２１６０は、ボタン入力２１６２に２１６４によって結合されたボタン入力ポート２１６６を含む。特定の実施例では、ボタン入力２１６２は、複数のボタンと一つのインタフェース回路を含む。特定の実施例では、ボタン入力２１６２は、ボタン反発（ｂｕｔｔｏｎ ｄｅｂｏｕｎｃｅ）回路を含む。特定の実施例では、ボタン入力２１６２は、関連するボタンを「押す」または「押さない」に対応するバイナリ状態値を供給する。特定の実施例では、ボタン入力２１６２は、キー加速（ｋｅｙ ａｃｃｅｌｅｒａｔｉｏｎ）と解放など、動作に関連するより詳細な情報を供給する。
【００９１】
図４５は、指紋スキャナ２１８０を含むユーザインタフェース・タッチ式入力センサー２１４０をサポートする特定の実施例に従う、図４３に示したユーザインタフェース・タッチ式入力センサー２１４０の詳細システムブロック図を示す。特定の実施例では、ユーザの指２１８２と指紋スキャナ２１８０の入力ポート２１８６との結合２１８４は、ＣＣＤアレイを含むことができる。特定のさらなる実施例では、入力結合２１８４は、指紋スキャンのためにユーザの指２１８２が置かれたことを示すための圧力センサーをさらに含むことができる。特定の代替の実施例では、入力ポート２１８６はＣＣＤアレイを含むことができる。
【００９２】
図４６は、携帯電話２２００を含むラジオトランシーバ２０１０をサポートする特定の実施例に従う、図３６に示したラジオトランシーバ２０１０の詳細システムブロック図を示す。携帯電話２２００は、携帯電話アンテナ２２０２とアンテナポート２２０６に結合されていて（２２０４）、アンテナポート２２０６は、携帯電話２２００に含まれている。携帯電話２２００は、埋込式コントローラ２０００から取引出力メッセージを受信する（２０１２）。これらの取引出力メッセージは、変調されたＲＦ出力信号に変換され、２２０６に出力されて、結合２２０４を介して携帯電話アンテナ２２０２によって送信される。携帯電話２２００は、携帯電話アンテナ２２０２から変調された入力を２２０４を介して２２０６で受信する。この入力は、復調、復号化され、取引入力ストリーム２０１４を生成するために使用される。このストリームは、埋込式コントローラ２０００によって結合２０１４を用いてアクセス可能となる。
【００９３】
図４７は、双方向ページャ２２２０を含むラジオトランシーバ２０１０をサポートする特定の実施例に従う、図３６に示したラジオトランシーバ２０１０の詳細システムブロック図を示す。双方向ページャ２２２０は、ページャアンテナ２２２２とページャアンテナポート２２２６に２２２４によって結合されている。ページャアンテナポート２２２６は、双方向ページャ２２２０に含まれている。双方向ページャ２２２０は、埋込式コントローラ２０００からの取引出力メッセージを２０１２を通じて受信する。これらの取引出力メッセージは、変調されたＲＦ出力信号に変換される。この信号は、２２２６に出力されて、結合２２２４を通じてページャアンテナ２２２２によって送信される。双方向ページャ２２２０は、ページャアンテナ２２２２からの変調された入力を２２２４を通じて２２２６で受信する。この入力は、復調、復号化され、かつ取引入力ストリーム２０１４を生成するために使用される。このストリームは、埋込式コントローラ２０００によって結合２０１４を用いてアクセス可能となる。
【００９４】
上述されている実施例は例として提示されたもので、請求項の範囲を制限するものではない。
【図面の簡単な説明】
【図１】従来の典型的な乗物用ラジオ受信機を示す。
【図２】従来の典型的なラジオ放送受信機の簡略化されたブロック図を示す。
【図３】自動車に設置できる、従来の一例としてのモバイルコンピュータを示す。
【図４】一実施例に従う、乗物用ラジオベースプログラムの選択／注文システムの使用に関するフローチャートを示す。
【図５】特定の実施例に従う、ラジオプログラムのプレゼンテーションに近い時刻にラジオプログラムを選択する図４の動作１００８の詳細なフローチャートを示す。
【図６】特定の実施例に従う、ラジオプログラムのプレゼンテーションに近い時刻にラジオプログラムを選択する図４の動作１００８の詳細なフローチャートを示す。
【図７】特定の実施例に従う、ラジオプログラムの選択確認を認識する図４の動作１０１２の詳細なフローチャートを示す。
【図８】特定の実施例に従う、ラジオプログラムの選択確認を認識する図４の動作１０１２の詳細なフローチャートを示す。
【図９】特定の実施例に従う、乗物の所有者を識別する、図４の動作１０００への追加動作１１２０のフローチャートを示す。
【図１０】特定の実施例に従う、ラジオプログラムの選択確認に応答する図４の動作１０１６の詳細なフローチャートを示す。
【図１１】特定の実施例に従う、乗物の所有者を識別する図９の動作１１２４の詳細なフローチャートを示す。
【図１２】特定の実施例に従う、所有者を識別する署名シーケンスを初期化する、図９の動作１１２０への追加動作１１９０のフローチャートを示す。
【図１３】特定の実施例に従う、乗物の所有者を識別する図９の動作１１２４の詳細なフローチャートを示す。
【図１４】特定の実施例に従う、所有者を識別するボタンシーケンスを初期化する、図９の動作１１２０への追加動作１１９０のフローチャートを示す。
【図１５】特定の実施例に従う、乗物の所有者を識別する図９の動作１１２４の詳細なフローチャートを示す。
【図１６】特定の実施例に従う、最初に指紋スキャナを押す、図９の動作１１２０への追加動作１２７０のフローチャート示す。
【図１７】特定の実施例に従う、ラジオプログラムを注文する図１０の動作１１４２の詳細なフローチャートを示す。
【図１８】乗物用ラジオベースプログラムの選択／注文システムを制御するフローチャートを示す。
【図１９】特定の実施例に従う、符号化されたラジオプログラムデータチャンネルを受信する図１８の動作１４０４の詳細なフローチャートを示す。
【図２０】特定の実施例に従う、ラジオプログラムを感知する図１８の動作１４１２の詳細なフローチャートを示す。
【図２１】特定の実施例に従う、ラジオプログラムの確認を表示する図１８の動作１４１６の詳細なフローチャートを示す。
【図２２】特定の実施例に従う、表示されたラジオプログラムの確認への応答を感知する図１８の動作１４２０の詳細なフローチャートを示す。
【図２３】特定の実施例に従う、ラジオプログラムを注文する図２２の動作１５３２の詳細なフローチャートを示す。
【図２４】特定の実施例に従う、乗物用ラジオベースプログラムの選択／注文システムを制御する動作の別のフローチャートを示す。
【図２５】特定の実施例に従う、感知されたラジオプログラムの選択を判断する図１８の動作１４１２の詳細なフローチャートを示す。
【図２６】特定の実施例に従う、選択されたラジオプログラムの注文を判断する図２３の動作１５６２の詳細なフローチャートを示す。
【図２７】特定の実施例に従う、ラジオプログラムの確認テキストを表示する図１８の動作１４１６の詳細なフローチャートを示す。
【図２８】特定の実施例に従う、ラジオプログラムの確認テキストを表示する図１８の動作１４１６の詳細なフローチャートを示す。
【図２９】特定の実施例に従う、ラジオプログラムの確認テキストを表示する図１８の動作１４１６の詳細なフローチャートを示す。
【図３０】特定の実施例に従う、乗物用ラジオベースプログラムの選択／注文システムを制御する動作の別のフローチャートを示す。
【図３１】特定の実施例に従う、固有のユーザの署名を利用して初めてのユーザの使用態様セッションを初期化する図３０の動作１７６２の詳細なフローチャートを示す。
【図３２】特定の実施例に従う、比較が一致しないときに初めてのユーザによるアクセスを阻止する図３１の動作１７９０の詳細なフローチャートを示す。
【図３３】乗物用ラジオを制御する開示および請求されている方法を実行するプログラムの常駐域をさまざまな実施例において提供するいくつかの形式のメモリと、コンピュータとを示す、高レベルシステムのブロック図を示す。
【図３４】一実施例に従う、乗物用ラジオベースプログラムの選択／注文システムの使用の概要フローチャートを示す。
【図３５】特定の実施例に従う、乗物用ラジオベースプログラムの選択／注文システムを制御する動作の概要フローチャートを示す。
【図３６】特定の実施例に従う、ラジオプログラムのデータのチャンネルを受信して取引を実行するためのラジオのシステムブロック図を示す。
【図３７】システムブロック２００２、すなわち特定のさらなる実施例に従う、図３６に示されているラジオプログラムデータチャンネルの受信機の詳細システムブロック図を示す。
【図３８】外部ＩＦ信号入力ポートがアナログ信号プロトコルをサポートする特定のさらなる実施例に従う、図３７に示されているラジオプログラムデータチャンネル分離器（ｉｓｏｌａｔｏｒ） ２０３０の詳細システムブロック図を示す。
【図３９】外部ＩＦ信号入力ポートがアナログ信号プロトコルをサポートする特定のさらなる実施例に従う、図３８に示されているアナログ分離回路２０５０の詳細システムブロック図を示す。
【図４０】ユーザ出力データのオーディオ出力を供給するユーザインタフェース・オーディオ出力インタフェースをサポートする特定の実施例に従う、図３６に示されているユーザインタフェース２０２０の詳細システムブロック図を示す。
【図４１】ユーザオーディオ入力データストリームを供給するユーザインタフェース・オーディオ入力センサーをサポートする特定の実施例に従う、図３６に示されているユーザインタフェース２０２０の詳細システムブロック図を示す。
【図４２】ユーザ出力データの視覚出力を供給する視覚出力デバイスをサポートする特定の実施例に従う、図３６に示されているユーザインタフェース２０２０の詳細システムブロック図を示す。
【図４３】ユーザ・タッチ式入力データストリームを供給するユーザインタフェース・タッチ式入力センサーをサポートする特定の実施例に従う、図３６に示されているユーザインタフェース２０２０の詳細システムブロック図を示す。
【図４４】ボタンセンサーを含むユーザインタフェース・タッチ式入力センサーをサポートする特定の実施例に従う、図４３に示されているユーザインタフェース・タッチ式入力センサー２１４０の詳細システムブロック図を示す。
【図４５】指紋スキャナを含むユーザインタフェース・タッチ式入力センサーをサポートする特定の実施例に従う、図４３に示されているユーザインタフェース・タッチ式入力センサー２１４０の詳細システムブロック図を示す。
【図４６】携帯電話を含むラジオトランシーバをサポートする特定の実施例に従う、図３６に示されているラジオトランシーバ２０１０の詳細システムブロック図を示す。
【図４７】双方向ページャを含むラジオトランシーバをサポートする特定の実施例に従う、図３６に示されているラジオトランシーバ２０１０の詳細システムブロック図を示す。
【符号の説明】
２　インジケータ
４　ドア
６　押ボタン
８　ダイヤル
１０　基本受信機
１２、１４　スピーカ
１６、１８　ワイヤ
２０　ヘッドセット
２２、２４　左右のスピーカ
２６　ボリューム／チューニングのコントロール
２８　電池
３０　アンテナ
３２　マウント
３４　マイクロホン
４０　配線
４２　ベルト取り付け式ユニット
４４　インジケータ
４６　ドア
４８　押ボタン
５０　携帯電話
５２　マイクロホン
５４　イヤホーン
５６　押ボタンの配列
５８　アンテナ
１００　ＦＭアンテナ
１０４　ＦＭチューナ
１０８　ＦＭ中間周波数処理回路（ＩＦ）
１１０　ステレオオーディオ信号
１２０　ＡＭアンテナ
１２４　ＡＭチューナ
１２６　オーディオ信号
１４０　テープドライブ
１４４　テーププリアンプ
１４６　ステレオオーディオ信号
１５０　アナログマルチプレクサ／スイッチ
１６０　トーン／ボリュームコントロール
１６２　オーディオ信号
１６４　パワーアンプ
１６６　オーディオ信号
１６８　オーディオスピーカシステム
１７０　プレゼンテーション
２００　モバイルコンピュータ
２０４　押板
２０２、２０６　領域
２１０　ディスプレイ
２１２、２１４、２１６　ボタン
１８３０　コンピュータ
１８４０　コンピュータ可読メモリ
１８４６　第一不揮発性メモリ
１８５０　第二不揮発性メモリ
１８６０　リムーバブルストレージデバイス
１８６２　リムーバブルストレージインタフェース
２０００　埋込式コントローラ
２００２　ラジオプログラムデータチャンネルの受信機
２０１０　ラジオトランシーバ
２０１４　取引入力ストリーム
２０２０　ユーザインタフェース回路
２０２２　ユーザ出力データ
２０２４　ユーザ・タッチ式入力データストリーム
２０３０　ラジオプログラムデータチャンネル分離器
２０３４　外部ＩＦ信号入力ポート
２０３６　外部ＩＦ信号入力ポート
２０３８　デジタル出力ポート
２０４０　Ａ／Ｄコンバータ
２０４２　Ａ／Ｄコンバータの入力ポート
２０４４　第一アナログ入力ポートに
２０４６　第二デジタル出力ポート
２０５０　アナログ分離回路
２０６２　入力ポート
２０６６　出力ポート
２０８０　ユーザインタフェース・オーディオ出力インタフェース
２０８６　オーディオ出力
２１００　ユーザインタフェース・オーディオ入力センサー
２１０２　オーディオ入力
２１２２　視覚出力
２１４０　ユーザインタフェース・タッチ式入力センサー
２１６０　ボタンセンサー
２１６２　ボタン入力
２１６６　ボタン入力ポート
２１８０　指紋スキャナ
２１８２　ユーザの指
２１８４　入力結合
２１８６　入力ポート
２２００　携帯電話
２２０２　携帯電話アンテナ
２２０６　アンテナポート
２２２０　双方向ページャ
２２２２　ページャアンテナ
２２２４　結合
２２２６　ページャアンテナポート
【図１】
2004500752.tif 000003
【図２】
2004500752.tif 000004
【図３】
2004500752.tif 000005
【図４】
2004500752.tif 000006
【図５】
2004500752.tif 000007
【図６】
2004500752.tif 000008
【図７】
2004500752.tif 000009
【図８】
2004500752.tif 000010
【図９】
2004500752.tif 000011
【図１０】
2004500752.tif 000012
【図１１】
2004500752.tif 000013
【図１２】
2004500752.tif 000014
【図１３】
2004500752.tif 000015
【図１４】
2004500752.tif 000016
【図１５】
2004500752.tif 000017
【図１６】
2004500752.tif 000018
【図１７】
2004500752.tif 000019
【図１８】
2004500752.tif 000020
【図１９】
2004500752.tif 000021
【図２０】
2004500752.tif 000022
【図２１】
2004500752.tif 000023
【図２２】
2004500752.tif 000024
【図２３】
2004500752.tif 000025
【図２４】
2004500752.tif 000026
【図２５】
2004500752.tif 000027
【図２６】
2004500752.tif 000028
【図２７】
2004500752.tif 000029
【図２８】
2004500752.tif 000030
【図２９】
2004500752.tif 000031
【図３０】
2004500752.tif 000032
【図３１】
2004500752.tif 000033
【図３２】
2004500752.tif 000034
【図３３】
2004500752.tif 000035
【図３４】
2004500752.tif 000036
【図３５】
2004500752.tif 000037
【図３６】
2004500752.tif 000038
【図３７】
2004500752.tif 000039
【図３８】
2004500752.tif 000040
【図３９】
2004500752.tif 000041
【図４０】
2004500752.tif 000042
【図４１】
2004500752.tif 000043
【図４２】
2004500752.tif 000044
【図４３】
2004500752.tif 000045
【図４４】
2004500752.tif 000046
【図４５】
2004500752.tif 000047
【図４６】
2004500752.tif 000048
【図４７】
2004500752.tif 000049
【国際公開パンフレット】
2004500752.tif 000050
2004500752.tif 000051
2004500752.tif 000052
2004500752.tif 000053
2004500752.tif 000054
2004500752.tif 000055
2004500752.tif 000056
2004500752.tif 000057
2004500752.tif 000058
2004500752.tif 000059
2004500752.tif 000060
2004500752.tif 000061
2004500752.tif 000062
2004500752.tif 000063
2004500752.tif 000064
2004500752.tif 000065
2004500752.tif 000066
2004500752.tif 000067
2004500752.tif 000068
2004500752.tif 000069
2004500752.tif 000070
2004500752.tif 000071
2004500752.tif 000072
2004500752.tif 000073
2004500752.tif 000074
2004500752.tif 000075
2004500752.tif 000076
2004500752.tif 000077
2004500752.tif 000078
2004500752.tif 000079
2004500752.tif 000080
2004500752.tif 000081
2004500752.tif 000082
2004500752.tif 000083
2004500752.tif 000084
2004500752.tif 000085
2004500752.tif 000086
2004500752.tif 000087
2004500752.tif 000088
2004500752.tif 000089
2004500752.tif 000090
2004500752.tif 000091
2004500752.tif 000092
2004500752.tif 000093
2004500752.tif 000094
2004500752.tif 000095
2004500752.tif 000096
2004500752.tif 000097
2004500752.tif 000098
2004500752.tif 000099
2004500752.tif 000100
2004500752.tif 000101
2004500752.tif 000102
2004500752.tif 000103
2004500752.tif 000104
2004500752.tif 000105
2004500752.tif 000106
2004500752.tif 000107
2004500752.tif 000108
2004500752.tif 000109
2004500752.tif 000110
2004500752.tif 000111
2004500752.tif 000112
2004500752.tif 000113
2004500752.tif 000114
2004500752.tif 000115
【国際公開パンフレット（コレクトバージョン）】
2004500752.tif 000116
【国際調査報告】
2004500752.tif 000117
2004500752.tif 000118
2004500752.tif 000119